(57)【要約】  【課題】簡素に構成できて設計の自由度を確保することができ、本体部への部材の種々の取付態様や付加的な取付にも容易に対応できるようにした背支桿を有する新規有用な椅子を提供する。  【解決手段】基部２の左右両側部に背５を支持する背支桿３を一対に取り付けて椅子を構成するにあたり、背支桿３を、少なくとも本体部３ｃがほぼ全域において断面略コ字状をなすものにし、そのうち内向きコ字状の部位に内側開口部３ｄ、３ｆを、外向きコ字状の部位に外側開口部を、それぞれ一体的に形成することとした。  【選択図】図６
2008104523.tif 000002
【特許請求の範囲】
【請求項１】
基部の左右両側部に背を支持する背支桿を一対に取り付けてなるものであって、
背支桿は、少なくとも本体部がほぼ全域において断面略コ字状をなし、そのうち内向きコ字状の部位に内側開口部が、外向きコ字状の部位に外側開口部が、それぞれ一体的に形成されていることを特徴とする椅子。
【請求項２】
本体部が略直方体状をなし、長手方向に対して直線状に延びる面から主として構成されている請求項１記載の椅子。
【請求項３】
長手方向に沿って交互に内側開口部及び外側開口部が形成されている請求項１又は２記載の椅子。
【請求項４】
内側開口部の内方には背支桿の外壁が奥部立壁として位置し、外側開口部の内方には背支桿の内壁が奥部立壁として位置している請求項３記載の椅子。
【請求項５】
奥部立壁を利用して開口部内にめねじ部が形成されている請求項４記載の椅子。
【請求項６】
各開口部間に隔壁が設けられ、隔壁の上部間及び下部間がそれぞれ背支桿の上壁及び底壁により接続されて、一対の隔壁によって区画される開口部においては内周が全て閉じられた状態となる請求項１〜５記載の椅子。
【請求項７】
内側開口部の内周は漸次外側に向かって開口を小さくするテーパ形状をなし、外側開口部の内周は漸次内側に向かって開口を小さくテーパ形状をなしている請求項１〜６記載の椅子。
【請求項８】
内周のテーパ形状が成形時の抜きテーパを兼ねている請求項７記載の椅子。
【請求項９】
背支桿が、ほぼ全域において等厚な成形体からなる請求項１〜８記載の椅子。
【請求項１０】
少なくとも延出端側に位置する内側開口部が背取付部として機能し、その隣接位置に位置する外側開口部が肘取付部として機能するように構成している請求項１〜９記載の椅子。
【請求項１１】
一対の背支桿の間隔が基端部から先端部に向けて拡開しているのに対して
、開口部は背幅方向と平行をなす方向に開口している請求項１０記載の椅子。
【請求項１２】
請求項１〜１１記載の椅子を構成すべく、基部の左右両側部に背を支持すべく設けられるものであって、内側開口部及び外側開口部を一体的に有し、長手方向及び開口方向を含む断面が各開口部において略コ字状をなしていることを特徴とする背支桿。
【発明の詳細な説明】
【技術分野】
【０００１】
本発明は、オフィス等で使用される椅子に係り、特に強度を損ねずに利用や製造等の面で改良工夫を加えた背支桿を有する椅子、及び背支桿に関するものである。
【背景技術】
【０００２】
従来の椅子の背支桿は、少なくとも背支桿本体のほぼ全域が成型によって中実に形成されており、その背支桿本体に肘を取り付ける場合等には、特許文献１等に示されるように、背支桿本体の取付面（側面）に部分的に隆起部を設け、その隆起部に肘の位置合わせや接続のための構造を作り込むようにしているのが通例である。
【特許文献１】特開２００６−１２２３９９号公報
【発明の開示】
【発明が解決しようとする課題】
【０００３】
しかしながら、このような隆起部を設けると、背支桿本体の金型が複雑になりコストも掛かる上に、成型以外では作れない設計に限定され易いという欠点がある。このような不都合は、部材の取付位置を増やすほど顕著になり、特に背支桿本体の周辺部に軸部等を設ける必要がある場合等には、金型設計は一層複雑で難しいものになる。
【０００４】
本発明は、このような課題に着目してなされたものであって、簡素に構成できて設計の自由度を確保することができ、本体部への部材の種々の取付態様や付加的な取付にも容易に対応できるようにした新規有用な椅子及び背支桿を提供することを目的としている。
【課題を解決するための手段】
【０００５】
本発明は、かかる目的を達成するために、次のような手段を講じたものである。
【０００６】
すなわち、本発明の椅子は、基部の左右両側部に背を支持する背支桿を一対に取り付けてなるものにおいて、背支桿は、少なくとも本体部がほぼ全域において断面略コ字状をなし、そのうち内向きコ字状の部位に内側開口部が、外向きコ字状の部位に外側開口部が、それぞれ一体的に形成されている構造としたものである。
【０００７】
このように構成して、その開口部において部材の取り付けを行うようにすると、本体部分の側面等に隆起部等が存しなくなる。このため、金型を簡素にすることができ、コスト削減を図るとともに、板金等でも作れる設計が容易となる。そして、これにより開口部を多数設けることができるので、種々の部材を背支桿の内外から適切に取り付けることが可能となる。また、本体部に軸部や軸受部等を付帯させる場合にも、本体部分の金型の複雑化を抑えることで金型の複雑化を押さえつつ周辺に作りこみをし易いものとなり、本体部が板金製である場合には軸部や軸受部等を溶接することによって同じ構造を実現することも容易に可能となる。
【０００８】
特に本体部を作り易くし、剛性も確保するためには、本体部が略直方体状をなし、長手方向に対して直線状に延びる面から主として構成されていることが望ましい。
【０００９】
開口部の変形を防ぐためには、長手方向に沿って交互に内側開口部及び外側開口部を形成しておくことが効果的である。
【００１０】
強度を保ちつつ内空を十分に確保するためには、内側開口部の内方に背支桿の外壁を奥部立壁として位置づけ、外側開口部の内方に背支桿の内壁を奥部立壁として位置づけることが望ましい。
【００１１】
このように壁面の平坦な背支桿本体の開口部に部材を適切に取り付けるためには、奥部立壁を利用して開口部内にめねじ部を形成しておくことが好ましい。
【００１２】
特に、各開口部間に隔壁が設けられ、隔壁の上部間及び下部間がそれぞれ背支桿の上壁及び底壁により接続されて、一対の隔壁によって区画される開口部においては内周が全て閉じられた状態となるようにしておくことが好適である。
【００１３】
部材取付機能の観点から開口部の好ましい形態としては、内側開口部の内周は漸次外側に向かって開口を小さくするテーパ形状をなし、外側開口部の内周は漸次内側に向かって開口を小さくテーパ形状をなしているものが挙げられる。
【００１４】
金型成型との兼ね合いからすれば、内周のテーパ形状が成形時の抜きテーパを兼ねていることが合理的である。
【００１５】
強度を損なわず、成型に係るコスト削減や質の向上を図るためには、背支桿が、ほぼ全域において等厚な成形体からなることが好ましい。
【００１６】
椅子における具体的な実施の態様としては、少なくとも延出端側に位置する内側開口部が背取付部として機能し、その隣接位置に位置する外側開口部が肘取付部として機能するように構成しているものが挙げられる。
【００１７】
一対の背支桿の間隔が基端部から先端部に向けて拡開している場合にも、開口部は背幅方向と平行をなす方向に開口していることが望ましい。
【００１８】
背支桿として、内側開口部及び外側開口部を一体的に有し、長手方向及び開口方向を含む断面が各開口部において略コ字状をなしている構造のものを構成し、これを既設の基部の左右両側部に配置して背を支持させても、本発明の椅子を有効に構成することができる。
【発明の効果】
【００１９】
本発明は、以上説明した構成であるから、背支桿の金型による設計や製造、板金による設計や製造の便が図れ、部材の取付位置や取付方位に係る選択の自由度も高められるようにした新規有用な椅子を提供することが可能となる。
【発明を実施するための最良の形態】
【００２０】
以下、本発明の一実施形態を、図面を参照して説明する。
【００２１】
この実施形態の椅子は、図１〜図５に示すように、脚羽根１１に支柱１２を介して基部２を回転可能に取り付けてなる椅子本体に対し、その両側部に背支桿３を回転可能に取り付けるとともに、基部２及び背支桿３に、座４及び背５をシンクロチルト可能に関連づけている。
【００２２】
基部２は、支柱１２に回転可能に取り付けた支持基部２１と、この支持基部２１上に配置した座取付部２２とからなるもので、支持基部２１には基底部から側方に突出させた支軸６１を介して背支桿３の基端３ａが回転可能に取り付けてある。座取付部２２は前部を長孔２１ａ及びピン２２aからなるスライド機構を介して前記支持基部２１の先端に接続され、後部を一対の背支桿３の間に架設した支軸６２に軸受部２２ｂを介して回転し得るように接続されている。そして、座取付部２２に座４を取り付け、背支桿３の延出端３ｂに背５を取り付けた状態で、背支桿３を支軸６１回りに後傾させることにより、図１に矢印で示すように、座取付部２２の後部が支軸６２によって後下方へ移動させられ、座取付部２２の前部がピン２２ａの長孔２１ａ内におけるスライド動作によって後方へ移動させられて、背５の後傾動作と座４の後下方への沈み込み動作とが連動するシンクロチルト動作が引き起こされるようにしている。なお、この基部２それ自体には、背５をロックするロック機構は組み込まれていない。
【００２３】
このような構成において、本実施形態は、背支桿３をコンパクトでスマートな形態にしつつ、この背支桿３に背５を直付け可能にするとともに、その背５に直接ヘッドレスト等のオプション部材を取り付け得るようにしている。
【００２４】
背支桿３は、本実施形態ではアルミダイキャスト製のもので、図６〜図８に示すように少なくとも本体部３ｃがほぼ全域に亘って断面略コ字状をなし、そのうち図６に現われる内向きコ字状の部位に内側開口部３ｄ、３ｆが、また図７に現われる外向きコ字状の部位に外側開口部３ｅが、それぞれ一体的に形成されている。
【００２５】
本体部３ｃは、内壁３１、外壁３２、上壁３３及び底壁３４からなる略直方体状のもので、それらの壁面は背支桿３の長手方向に沿って直線状に延びており、後部の延出端３ｂ側に第１の内側開口部３ｄを、その基端側隣接位置に外側開口部３ｅを、さらにその基端側隣接位置に第２の内側開口部３ｆをそれぞれ形成している。第１の内側開口部３ｄは、背支桿取付部として機能するもので、図８（ａ）、（ｂ）に示すように外壁３２、上壁３３、底壁３４及び隔壁３５によって区画された横断面内向きコ字状をなし、内側及び延出端側に向けて開口している。外側開口部３ｅは、肘取付部として機能するもので、図８（ａ）、（ｃ）に示すように内壁３１、上壁３３、底壁３４及び一対の隔壁３５，３６によって区画された横断面外向きコ字状をなし、外側に向けて開口している。第２の内側開口部３ｆは、図８（ａ）、（ｄ）に示すように外壁３２、上壁３３、底壁３４及び一対の隔壁３６，３７によって区画された横断面内向きコ字状をなし、内側に向けて開口している。この第２の内側開口部３ｆは、更にその内側が縦隔壁ｆ１及び横隔壁ｆ２によって４つの小開口部に区画されているが、これは肉厚を均一にするための肉盗みである。
【００２６】
すなわち、第１の内側開口部３ｄの内方には背支桿３の外壁３２が奥部立壁として存在し、外側開口部３ｅの内方には背支桿３の内壁３１が奥部立壁として存在しており、それらの奥部立壁にそれぞれ背支桿３や肘６を取り付けるためのねじ穴３ｄ１、３ｅ１を設けている。
【００２７】
そして、例えば図７に示す第１の外側開口部３ｅでは、一対の隔壁３５，３６の上部間及び下部間がそれぞれ背支桿３の上壁３３及び底壁３４により接続されて内周が全て周回状に閉じた状態となり、図６に示す第２の内側開口部３ｆでは、縦隔壁ｆ１及び横隔壁ｆ２を無視して考えるならば一対の隔壁３６、３７の上部間及び下部間がそれぞれ背支桿３の上壁３３及び底壁３４により接続されて内周が全て周回状に閉じた状態となる。勿論、この内側開口部３ｆ内を細分する各小開口部においても内周は全て閉じた状態となる。これらの構造は開口部の強度を確保する上で有効となるものである。第１の内側開口部３ｅは後述する背５の突出部５４を差し込む必要があるため内周が後端側へ開口したものとなっているが、このように後端側へ開口しても背５の突出部５４を差し込んだ状態で内部が密実に充填されるため強度的な支障はない。
【００２８】
一方、図８の各図に現われるように、内側開口部３ｄ、３ｆの内周は漸次外側に向かって開口を小さくするテーパ形状をなし、外側開口部３ｅの内周は漸次内側に向かって開口を小さくするテーパ形状をなしていて、これらの内周のテーパ形状は、背支桿３の外壁３２と内壁３１のほぼ中央を通る位置にパーティングラインを設定して構成される金型（図示省略）の抜きテーパを兼ねている。
【００２９】
なお、この背支桿３には、図５〜図７に示すように、基端３ａ近傍の上壁３３に支軸６１を挿し通す軸受部７１が、また延出端３ｂ近傍の上壁３３に支軸６２を挿し通す軸受部７２が、それぞれ成型により隆起部を設けかつ樹脂製のブッシュを装着することによって構成されている。基端３ａ側に位置する軸穴７３には、背５の回動範囲を規制する回動規制ピン６３（図１及び図５参照）が支持基部２１から突出して差し込まれる。
【００３０】
以上において、背支桿３の本体部３ｃの内壁３１、外壁３２、上壁３３、底壁３４、隔壁３５〜３７は勿論のこと、基端部３ａの軸穴７３や軸受部７１，７２を構成する穴の周囲を含めて、背支桿３のほぼ全域が等厚な成形体であり、軸穴７３や軸受部７１，７２を構成する穴も内側開口部と見れば、これらの内側開口部を含めてほぼ全ての領域において横断面がコ字形をなす。
【００３１】
このようにしてなる一対の背支桿３は、図４及び図９等に示すように、その間隔が基端部３ａから延出端部３ｂに向けて拡開した状態で基部２に取り付けられるが、各開口部３ｄ、３ｅ、３ｆの開口方向は背幅方向（換言すれば支軸６１，６２の方向）と平行をなすように設定してある。このため、背支桿３を基準に見れば、図９に示すように、例えば開口部３ｄに対して肘６を差し込む方向（すなわち開口部３ｄの開口方向）は背支桿３の長手方向と直交する方向に対して一定の角度をなすものとなっている。
【００３２】
このようにしてなる背支桿３は、図１に示すように、その延出端３ｂを座面よりも高くならない範囲で座４の後方に延出させてある。
【００３３】
そして、上記のように基部２の左右両側部に振り分けた一対の背支桿３の延出端３ｂに、図１、図４及び図５に示すごとく背５を直付けするようにしている。
【００３４】
背５は、図１〜図３に示すように樹脂一体成型により構成されて、上枠部５１、下枠部５２及び左右の側枠部５３からなる単一周回枠状の背枠５ｘと、この背枠５ｘの内側に張り設けた張材５ｙとからなるもので、側枠部５３は側面視において上下方向ほぼ中間位置が最も前方に突出する概略くの字状をなし、上枠部５１及び下枠部５２は図４、図５及び図１０等に示すように平断面が前方に向かって凹となる湾曲形状をなしている。そして、背５の下部に位置する前記下枠部５２の前面側における左右２箇所に、背支桿接続部５４を一体的に形成している。
【００３５】
背支桿接続部５４は、下枠部５２の前面より前方に向けて突起５４ａを一体的に設け、この突起５４ａを背支桿３の延出端３ｂに開口する第１の内側開口部３ｄにテーパ嵌合させて、突起５４ａの一部に設けた貫通孔５４ｂに内側からボルトを差し込んで背支桿３のめねじ部３ｄ１（図８参照）に締着するようにしたものであり、嵌合状態で突起５４ａに設けた段部５４ａ１を背支桿３の延出端３ｂの端面３ｂ１に突き当てるようにしている。背支桿３は図１の如く後方に向かって側面視ほぼ直線状に延びているため、本実施形態においてはほぼ最短距離でその延出端３ｂに背５が取り付けられる。背支桿３の幅方向の位置づけは、図２に示すように座４の下方であって側縁よりも内方に入り込んだ部位であり、前後方向の位置づけは、図１に示すように基端３ａが座４の前後方向のほぼ中央、支柱１２の僅か前方部位である。
【００３６】
一方、この椅子は、通常なら基部２内に構成される背のロック機構を基部２外に持ち出して、図１、図４等に示すようにガススプリング機構７という形で基部２と背５の間に配置するようにしており、そのために図４及び図１０等に示すようにロック機構取付部５５を背５の下辺部に位置する下枠部５２の幅方向中央部に設けている。
【００３７】
このロック機構取付部５５を形成するにあたり、背５の下枠部５２の平断面が前方に向けて凹状に湾曲している点に着目し、この背５を側面視した場合にその凹み内に収まり前方に突出しない状態で上下一対の横リブ５６ａ、５６ｂを設けている。これらの横リブ５６ａ、５６ｂは、両端が下枠部５２に沿って延びて前述した背支桿接続部５４を構成する左右一対の突出部５４ａに接続されている。そして、これらの横リブ５６ａ、５６ｂの間にロック機構取付部５５を形成している。
【００３８】
ロック機構取付部５５は、樹脂一体成型により、図１０に示すように横リブ５６ａ、５６ｂに支持させた状態で一対の縦リブ５５ａを背幅方向に対向させて設け、これらの縦リブ５５ａに軸５５ｂを挿し通す軸受部たる軸穴５５ｃを形成したもので、この縦リブ５５ａも下枠部５２の平断面が前方に向けて凹状に湾曲している事との関係で、側面視した場合にその凹み内に収まるように構成している。
【００３９】
そして、ガススプリング機構７の一端７ａを図１、図３、図４、図１０等に示すように基部２の後部に設けた支軸６４に回転可能に支持させ、他端７ｂに形成した軸穴７１をロック機構取付部５５を構成する左右の縦リブ５５ａの間に差し込んでそれらの縦リブ５５ａに形成した軸穴５５ｃに合致させ、その状態で側方から軸５５ｂを差し込んでこれらに挿し通すことにより、基部２と背５の間にガススプリング機構７を取り付けている。
【００４０】
すなわち、背支桿３が背５とともに支軸６１回りに回転すると、支軸６１よりも後方の支軸６４に一端７ａを取り付けられたガススプリング機構７は、その他端７ｂが取り付けられた背５のロック機構取付部５５が次第に支軸６４に近づくことにより圧縮され、所要の圧縮位置で再びロックすることにより、背座を適宜のシンクロチルト状態に保持するようにしている。ロック状態を解除すれば、図１の姿勢への復帰力を発現するものとなる。
【００４１】
さらに、前述した背５には、図１１及び図１２に示すように、張材取付部５７及びオプション取付部５８が一体的に構成してある。
【００４２】
具体的には、背枠５ｘの上枠部５１及び左右の側枠部５３の外周には、背枠５ｘの周回方向に沿って略全域に亘り２本の溝５７ａ、５８ａが並行に形成してあり、前方に位置する溝５７ａをそれ自体で張材取付部５７として機能させるとともに、後方に位置する溝５８ａにヘッドレスト８１等のオプション部材８を取り付けるためのオプション取付部５８の役割を担わせるようにしている。
【００４３】
すなわち、この実施形態ではメッシュ地５ｙ１の周囲に板状の取付片５ｙ２を一体的に形成した張材５ｙを用意し、この張材５ｙの取付片５ｙ２を上枠部５１及び左右の側枠部５３の溝５７ａにそれぞれ差し込むとともに、張材５ｙの下端を適宜の構造、例えば図１３に示すように背５の下枠部５２に設けたフック爪５２ａに引っ掛けて固定する等の構造により固定して、当該張材５ｙを背５の前部に取り付けるようにしている。この状態では、図１に示すように背枠５ｘの側面等において前方の溝５７ａは張材５ｙで閉止され、後方の溝５８ａがスリット状に周回した状態となる。
【００４４】
そしてこのとき、図１２における背枠５ｘの横断面に現われるように、背枠５ｘの内周側の前面５ｘ１には張材５ｙとの間に張材５ｙの撓みしろとなる隙間Ｓを形成する部位が存在しており、この部位を含む背枠５ｘの内周側と、前述した背枠５ｘの外周側に形成した溝５８ａとによって、本発明のオプション取付部５８を構成している。
【００４５】
そして、オプション部材８として例えばヘッドレスト８１を、本体取付部８１ａ及びこの本体取付部８１ａに対してねじ８１ｂにより脱着される挟持片８１ｃから構成して、これらの間に背枠５ｘの上枠部５１を抱き込む形状の一対の対向部８１ｄ、８１ｅを形成し、その対向部８１ｄ、８１ｅ間に、開口縁よりも内方が幅広となる凹部８１ｆを形成するようにしている。そして、挟持片８１ｃを離脱させた状態でこの凹部８１ｆとなる部位に背枠５ｘの上枠部５１を受容した後、挟持片８１ｃを嵌め込んでねじ８１ｂを用いて凹部８１ｆを狭める方向に締め付け力を付与することにより、それらの対向部８１ｄ、８１ｅで背枠５ｘの上枠部５１を挟持して、ヘッドレスト８１を背枠５ｘを抱かせた状態に取り付けるようにしている。このようにして、ヘッドレスト８１は上枠部５１の外周側の溝５７ａから上枠部５１の内周側の隙間Ｓに臨む部位に跨って取り付けられる。なお、この状態において、挟持片８１ｃの前面５ｘ１は、背枠５ｘの上枠部５１の前面に滑らかに連続しており、張材５ｙが撓んだ際の張材受け面として機能し得るようにしている。
【００４６】
因みに、図１４はこの状態を背面から見たものであり、同図においては、このヘッドレスト８１との干渉を避けて、他のオプション部材８としてハンガー８２も同時に取り付けている。
【００４７】
このハンガー８２は、図１５に示すように、門型のハンガー本体８２ａと、このハンガー本体の２本の脚８２ａ１の下端にねじにより脱着される挟持片８２ｂとからなるもので、挟持片８２ｂの取付構造は上記ヘッドレスト８１におけると同様、溝５８ａを利用しつつ対向片間に上枠部５１を挟み込んで締め付けるものである。脚８２ａ１はヘッドレスト８１の本体取付部８１ａの両側に位置づけられる。このハンガー８２は図１２に想像線で示すように背５の最も後方に位置する背枠５ｘの上枠部５１に取り付けられるため、この位置に衣服を掛けると、く字型に屈曲する背の背面側に空いている空間に衣服を位置づけることができる。なお、図１４における符合８３で示すものは、他のオプション部材８として示したランバーサポートであり、背枠５ｘの側枠部５３の内周に上記に準じた溝５９を設けその溝５９に両端８３ａを挿し通すなどすれば、このような部材の取付も可能であることを示している。
【００４８】
以上のように、本実施形態は、基部２の左右両側部に背５を支持する背支桿３を一対に取り付けて椅子を構成するにあたり、背支桿３を、少なくとも本体部３ｃがほぼ全域において断面略コ字状をなすものにし、そのうち内向きコ字状の部位に内側開口部３ｄ、３ｆ等を、外向きコ字状の部位に外側開口部３ｅ等を、それぞれ一体的に形成するようにしたものである。
【００４９】
このように構成すると、少なくとも背支桿本体３ｃのほぼ全域が断面コ字状であるので、本体３ｃ部分の金型を極めて簡素なものにすることができ、コスト削減を図るとともに、板金等でも作れる設計にも容易に対応することができる。そして、これにより開口部３ｄ等を多数設けることができるので、必要に応じて種々の部材を背支桿の内外から適切に取り付けることが可能となる。また、上記のように軸受部７１，７２等を形成する場合にも、本体部３ｃの金型の複雑化を抑えることで、金型の複雑化を回避しつつ周辺にこのような作り込みを容易に行うことが可能となる。
【００５０】
特に、本体部３ｃが略直方体状をなし、長手方向に対して直線状に延びる面から主として構成しているので、本体部３ｃがより簡素となり、製造の便を向上させるのみならず剛性を確保する上でも有効なものとなり得る。
【００５１】
これらにおいて、開口部が内側や外側に偏ると、背支桿３全体の強度が部分的に低下し易いが、本実施形態では長手方向に沿って交互に第１の内側開口部３ｄ、外側開口部３ｅ，及び第２の内側開口部３ｆを形成しているので、負荷を均等に分散することができ、図示のように開口部３ｄ、３ｅ，３ｆ等が多数存在しても所要の剛性を確保して、それらの開口部３ｄ等の変形を有効に防止することができる。
【００５２】
この場合、内側開口部３ｄ、３ｆの内方には背支桿３の外壁３２が奥部立壁として、外側開口部３ｅの内方には背支桿３の内壁３１が奥部立壁としてそれぞれ位置して、各開口部３ｄ，３ｅ，３ｆの開口端は、隣接する開口部の奥部立壁である内壁３１や外壁３２に支持されることになるので、開口端の強度が保たれると同時に、背支桿３を幅広なものにすることなく内外から部材を差し込むための内空を効率良く十分に確保して肘６等の部材を必要な深さまで適切に挿入することができる。
【００５３】
また、奥部立壁である内壁３１や外壁３２を利用して開口部３ｄ、３ｅ等の内部にめねじ部３ｄ１、３ｅ１を形成しているので、背支桿３の壁面が平坦であっても、開口部３ｄ，３ｅ等に部材を挿し込んで取り付ける際の取付場所を有効に確保することができる。なお、部材を取り付けない時は、このめねじ部３ｄ１、３ｅ１を利用してカバーを適切に装着しておくことができる。
【００５４】
さらに、各開口部３ｄ、３ｅ，３ｆ間に隔壁３５，３６，３７が設けられ、これらの隔壁３５，３６、３７の上部間及び下部間がそれぞれ背支桿３の上壁３３や底壁３４により接続されて、一対の隔壁３５，３６によって区画される開口部３ｅ等では内周が全て閉じられた状態となるようにしているので、開口部３ｅ等がハニカムに準じた構造となり、一層の強度向上が図られる。
【００５５】
また、内側開口部３ｄ、３ｆ等の内周は漸次外側に向かって開口を小さくするテーパ形状をなし、外側開口部３ｅ等の内周は漸次内側に向かって開口を小さくするテーパ形状をなしているので、このような開口３ｄ、３ｅ，３ｆ等に対して同様のテーパ形状を付与した上で背５の突出部５４や肘６の基端を挿し込むようにすれば、部材が強固に嵌合し、これらの部材の背支桿３への位置決めも的確になされることになる。
【００５６】
この場合、内周のテーパ形状が金型成形時の抜きテーパを兼ねているので、金型の型抜きの便と部材の取り付けの便の双方に資する構造を得ることができる。
【００５７】
さらに、背支桿３を、ほぼ全域において等厚な成形体としているので、負荷を好適に分散して局所的に脆弱とならないようにすることができ、材料費も低減でき、また成形時の冷却速度が均一になるため引け巣防止の効果も期することができる。
【００５８】
このような椅子においては、背支桿３は背５や肘６を設けることが本来的機能であることに鑑みれば、少なくとも延出端３ｂ側に開口する内側開口部３ｄが背取付部として機能し、その隣接位置に開口する外側開口部３ｅが肘取付部として機能するように構成して、これらを基準に必要に応じて他の開口部を形成するようにすれば、椅子に適用する背支桿に対して有効な開口部の設計を行うことが可能となる。
【００５９】
また、図示の椅子においては、一対の背支桿３の間隔が基端３ａから延出端３ｂに向けて拡開しているが、開口部３ｄ、３ｅ等はあくまで背幅方向と平行をなす方向に開口させているので、背支桿３の長手方向と直交する方向に開口部３ｄ等を設ける場合に比して、開口部３ｄ等の深さ、したがって肘６等の部材の呑み込み量を無理なく確保することが可能となる。
【００６０】
さらにまた、上記のような背支桿３さえ構成すれば、これを既設の基部の左右両側部に配置して背を支持させるだけで、本発明の椅子を有効に構成することができる。
【００６１】
なお、上記のように背支桿３全体を略均等な肉厚に成型する場合、外側開口部３ｅを漸次内側に向かって開口を小さくするテーパ形状にすると、自ずと隣接する内側開口部３ｄ、３ｆは逆向きのテーパすなわち漸次外側に向かって開口を小さくするテーパ形状になるため、内外何れの方向からでも部材を位置決め状態で強固に接続する構造を合理的に形成できる利点は特筆すべきである。肘６の基端をテーパ形状にして外向開口部３ｅに外側から差し込む態様は既述したところであり、それ以外にも例えばその後端側の内向開口部３ｄに上述した背５の突出部５４をテーパ形状にして内側から差し込む態様や、図示例以外にも左右の突出部５４を連結する連結杆を構成しその連結杆の端部をテーパ形状にして前記内向開口部３ｄに内側から差し込む態様など、隣接する内側開口部や外向開口部に内外から部材を差し込むことを要求される場面は種々に考えられるので、それらの場合に本発明の背支桿構造は極めて有用なものとなり得る。
【００６２】
なお、各部の具体的な構成は、上述した実施形態のみに限定されるものではなく、
本発明の趣旨を逸脱しない範囲で種々変形が可能である。
【００６３】
例えば、図１６に示すように、内側及び外側に交互に凹凸を有した板金素材からなる縦板ｃ１に、平板からなる上壁ｃ２及び底壁ｃ３を溶接して本体部Ｃを構成しても、ほぼ全域において断面略コ字状をなし、内向きコ字状の部位に内側開口部ｋ１、ｋ２が、外向きコ字状の部位に外側開口部ｋ３がそれぞれ一体的に形成された背支桿１０３を有効に構成することができる。
【００６４】
この場合、軸受部ｃ４等を形成する必要がある場合には、これを上壁ｃ２等に溶接すればよいので、上記実施形態と同様の構造を有効に実現することも可能となる。
【図面の簡単な説明】
【００６５】
【図１】本発明の一実施形態に係る椅子を示す側面図。
【図２】同背面図。
【図３】同後方斜視図。
【図４】同実施形態の機構部分を示す斜視図。
【図５】図４の分解図。
【図６】同実施形態の背支桿を内側から見た斜視図。
【図７】同実施形態の背支桿を外側から見た斜視図。
【図８】同背支桿の要部断面図。
【図９】同背支桿に対する開口部の開口方向を説明する図。
【図１０】同実施形態の背支桿取付部を示す部分拡大斜視図。
【図１１】同実施形態に係る背枠の溝構造をヘッドレスト部分において示す部分拡大斜視図。
【図１２】図１１に対応した断面図。
【図１３】同実施形態における張材の背下辺部への取付構造を示す図。
【図１４】オプション部材を取り付けた状態の椅子の背面図。
【図１５】同要部拡大図。
【図１６】本発明の変形例を示す図。
【符号の説明】
【００６６】
２…基部
３…背支桿
３ｃ…本体部
３ｄ、３ｆ…内側開口部
３ｄ１、３ｅ１…めねじ部
３ｅ…外側開口部
５…背
３１…内壁
３２…外壁
３３…上壁
３４…底壁
【図１】
2008104523.tif 000003
【図２】
2008104523.tif 000004
【図３】
2008104523.tif 000005
【図４】
2008104523.tif 000006
【図５】
2008104523.tif 000007
【図６】
2008104523.tif 000008
【図７】
2008104523.tif 000009
【図８】
2008104523.tif 000010
【図９】
2008104523.tif 000011
【図１０】
2008104523.tif 000012
【図１１】
2008104523.tif 000013
【図１２】
2008104523.tif 000014
【図１３】
2008104523.tif 000015
【図１４】
2008104523.tif 000016
【図１５】
2008104523.tif 000017
【図１６】
2008104523.tif 000018